(57)【要約】 【課題】細身の樹脂製レンズ枠体を具えながら強度に優れ、樹脂と金属との複合による装飾性向上も達成し得る複合型眼鏡を提供する。【解決手段】柔軟な樹脂素材からなるレンズ枠体２と、レンズ枠体２に取り付けられるレンズ３と、レンズ枠体２に取り付けられる金属製の縁枠部材５と、レンズ枠体２に取り付けられるコード部材６，６を具える。レンズ枠体２は、一対の環状のレンズ枠７，７相互がブリッジ９で連結されている。縁枠部材５は、嵌合溝１３の上側部分１６に嵌め入れられた左右の縁枠片３０，３０相互が連結片３１で連結されている。レンズ枠７にレンズ３が嵌め入れられた状態で、嵌合溝１３の下側部分５５に嵌め入れられたコード部材６の一方の端部分５６が縁枠片３０の一端部分に止着される。コード部材６の他方の端部分５７が、ブリッジ９を貫通する挿通孔２０に挿通され連結片３１に止着される。【選択図】図１１
0003148577.tif 000002
【実用新案登録請求の範囲】
【請求項１】
柔軟な樹脂素材からなるレンズ枠体と、該レンズ枠体に取り付けられるレンズと、該レンズ枠体に取り付けられる金属製の縁枠部材と、該レンズ枠体に取り付けられるコード部材とを具え、
前記レンズ枠体は、レンズが嵌着される左右一対の環状のレンズ枠相互がブリッジで連結されてなり、
前記縁枠部材は、前記レンズ枠の夫々の外周面の一部分に取り付けられる左右の縁枠片の内端相互が、前記ブリッジの上面に取り付けられる連結片で連結されてなり、
又、前記レンズ枠にレンズが嵌め入れられた状態で、夫々のレンズ枠に関して、該レンズ枠の外周面の内、前記一部分を除いた残余部分に取り付けられたコード部材の一方の端部分が、前記縁枠片の端部分に設けられた止め孔に止着されると共に、該コード部材の他方の端部分が、前記ブリッジを上下方向で貫通する挿通孔に挿通され且つ前記連結片に設けられた止め孔に止着されていることを特徴とする複合型眼鏡。
【請求項２】
柔軟な樹脂素材からなるレンズ枠体と、該レンズ枠体に取り付けられるレンズと、該レンズ枠体に取り付けられる金属製の縁枠部材と、該レンズ枠体に取り付けられるコード部材とを具え、
前記レンズ枠体は、レンズが嵌着される左右一対の環状のレンズ枠相互がブリッジで連結されてなり、
前記縁枠部材は、前記レンズ枠の夫々の外周面の一部分に取り付けられる左右の縁枠片の内端相互が、前記ブリッジの下面に取り付けられる連結片で連結されてなり、
又、前記レンズ枠にレンズが嵌め入れられた状態で、夫々のレンズ枠に関して、該レンズ枠の外周面の内、前記一部分を除いた残余部分に取り付けられたコード部材の一方の端部分が、前記縁枠片の端部分に設けられた止め孔に止着されると共に、該コード部材の他方の端部分が、前記ブリッジを上下方向で貫通する挿通孔に挿通され且つ前記連結片に設けられた止め孔に止着されていることを特徴とする複合型眼鏡。
【請求項３】
柔軟な樹脂素材からなるレンズ枠体と、該レンズ枠体に取り付けられるレンズと、該レンズ枠体に取り付けられる金属製の縁枠部材と、該レンズ枠体に取り付けられるコード部材とを具え、
前記レンズ枠体は、内周面にレンズ溝を有する左右一対の環状のレンズ枠相互がブリッジで連結されてなり、該レンズ枠の夫々の外周面にその周方向に嵌合溝が設けられると共に、前記ブリッジの上面には、両レンズ枠の前記嵌合溝の上側部分に連なるように上面嵌合溝が設けられており、
前記縁枠部材は、前記レンズ枠の夫々の前記嵌合溝の上側部分に嵌め入れられる左右の縁枠片の内端相互が、前記上面嵌合溝に嵌め入れられる連結片で連結されてなり、
又、前記レンズ枠にレンズが嵌め入れられた状態で、夫々のレンズ枠に関して、前記嵌合溝の下側部分に嵌め入れられたコード部材の一方の端部分が前記縁枠片の端部分に設けられた止め孔に止着されると共に、該コード部材の他方の端部分が、前記ブリッジを上下方向で貫通する挿通孔に挿通され且つ前記連結片に設けられた止め孔に止着されていることを特徴とする複合型眼鏡。
【請求項４】
柔軟な樹脂素材からなるレンズ枠体と、該レンズ枠体に取り付けられるレンズと、該レンズ枠体に取り付けられる金属製の縁枠部材と、該レンズ枠体に取り付けられるコード部材とを具え、
前記レンズ枠体は、内周面にレンズ溝を有する左右一対の環状のレンズ枠相互がブリッジにより連結されてなり、該レンズ枠の夫々の外周面にその周方向に嵌合溝が設けられると共に、前記ブリッジの下面には下面嵌合溝が設けられており、
前記縁枠部材は、前記レンズ枠の夫々の前記嵌合溝の下側部分に嵌め入れられる左右の縁枠片の内端相互が、前記下面嵌合溝に嵌め入れられる連結片で連結されてなり、
又、前記レンズ枠にレンズが嵌め入れられた状態で、夫々のレンズ枠に関して、前記嵌合溝の上側部分に嵌め入れられたコード部材の一方の端部分が前記縁枠片の端部分に設けられた止め孔に止着されると共に、該コード部材の他方の端部分が、前記ブリッジを上下方向で貫通する挿通孔に挿通され且つ前記連結片に設けられた止め孔に止着されていることを特徴とする複合型眼鏡。
【請求項５】
柔軟な樹脂素材からなるレンズ枠体と、該レンズ枠体に取り付けられるレンズと、該レンズ枠体に取り付けられる金属製の縁枠部材と、該レンズに取り付けられるコード部材とを具え、
前記レンズ枠体は、左右のレンズのレンズ周面の一部分に取り付けられる左右一対のレンズ枠相互がブリッジで連結されてなり、
前記縁枠部材は、前記レンズ枠の夫々の外周面の全体又は一部分に取り付けられる左右の縁枠片の内端相互が、前記ブリッジの上面に取り付けられる連結片で連結されてなり、
又、前記レンズ枠にレンズが取り付けられた状態で、夫々のレンズに関し、該レンズのレンズ周面の内、前記一部分を除いた残余部分に取り付けられたコード部材の一方の端部分が、前記縁枠片の端部分に設けられた止め孔に止着されると共に、該コード部材の他方の端部分が、前記ブリッジを上下方向で貫通する挿通孔に挿通され且つ前記連結片に設けられた止め孔に止着されていることを特徴とする複合型眼鏡。
【請求項６】
柔軟な樹脂素材からなるレンズ枠体と、該レンズ枠体に取り付けられるレンズと、該レンズ枠体に取り付けられる金属製の縁枠部材と、該レンズに取り付けられるコード部材とを具え、
前記レンズ枠体は、左右のレンズのレンズ周面の一部分に取り付けられる左右一対のレンズ枠相互がブリッジで連結されてなり、
前記縁枠部材は、前記レンズ枠の夫々の外周面の全体又は一部分に取り付けられる左右の縁枠片の内端相互が、前記ブリッジの下面に取り付けられる連結片で連結されてなり、
又、前記レンズ枠にレンズが取り付けられた状態で、夫々のレンズに関し、該レンズのレンズ周面の内、前記一部分を除いた残余部分に取り付けられたコード部材の一方の端部分が、前記縁枠片の端部分に設けられた止め孔に止着されると共に、該コード部材の他方の端部分が、前記ブリッジを上下方向で貫通する挿通孔に挿通され且つ前記連結片に設けられた止め孔に止着されていることを特徴とする複合型眼鏡。
【請求項７】
柔軟な樹脂素材からなるレンズ枠体と、該レンズ枠体に取り付けられるレンズと、該レンズ枠体に取り付けられる金属製の縁枠部材と、該レンズ枠体に取り付けられるコード部材とを具え、
前記レンズ枠体は、左右のレンズのレンズ周面の一部分に取り付けられる左右一対のレンズ枠相互がブリッジで連結されてなり、該レンズ枠の夫々の外周面にその長さ方向に嵌合溝が設けられると共に、前記ブリッジの上面には上面嵌合溝が設けられており、
前記縁枠部材は、前記レンズ枠の前記嵌合溝の全体又は一部分に嵌め入れられる左右の縁枠片の内端相互が、前記上面嵌合溝に嵌め入れられる連結片で連結されてなり、
又、前記レンズ枠にレンズが取り付けられた状態で、夫々のレンズに関し、該レンズのレンズ周面の内、前記一部分を除いた残余部分に取り付けられたコード部材の一方の端部分が、前記縁枠片の端部分に設けられた止め孔に止着されると共に、該コード部材の他方の端部分が、前記ブリッジを上下方向で貫通する挿通孔に挿通され且つ前記連結片に設けられた止め孔に止着されていることを特徴とする複合型眼鏡。
【請求項８】
柔軟な樹脂素材からなるレンズ枠体と、該レンズ枠体に取り付けられるレンズと、該レンズ枠体に取り付けられる金属製の縁枠部材と、該レンズ枠体に取り付けられるコード部材とを具え、
前記レンズ枠体は、左右のレンズのレンズ周面の一部分に取り付けられる左右一対のレンズ枠相互がブリッジで連結されてなり、該両レンズ枠の夫々の外周面にその長さ方向に嵌合溝が設けられると共に、前記ブリッジの下面には下面嵌合溝が設けられており、
前記縁枠部材は、前記レンズ枠の前記嵌合溝の全体又は一部分に嵌め入れられる左右の縁枠片の内端相互が、前記下面嵌合溝に嵌め入れられる連結片で連結されてなり、
又、前記レンズ枠にレンズが取り付けられた状態で、夫々のレンズに関し、該レンズのレンズ周面の内、前記一部分を除いた残余部分に取り付けられたコード部材の一方の端部分が、前記縁枠片の端部分に設けられた止め孔に止着されると共に、該コード部材の他方の端部分が、前記ブリッジを上下方向で貫通する挿通孔に挿通され且つ前記連結片に設けられた止め孔に止着されていることを特徴とする複合型眼鏡。
【請求項９】
前記縁枠部材はベータチタン製であることを特徴とする請求項１〜８の何れかに記載の複合型眼鏡。
【請求項１０】
柔軟な樹脂素材からなるレンズ枠体と、該レンズ枠体に取り付けられるレンズと、該レンズ枠体に取り付けられる金属製の縁枠部材と、該レンズ枠体に取り付けられるコード部材とを具え、
前記レンズ枠体は、レンズが嵌着される左右一対の環状のレンズ枠相互がブリッジで連結されてなり、
前記縁枠部材は、前記レンズ枠の夫々の外周面の一部分に取り付けられる左右の縁枠片の内端相互が、前記ブリッジの上面に取り付けられる連結片で連結されてなり、
又、前記レンズ枠にレンズが嵌め入れられた状態で、夫々のレンズ枠に関して、該レンズ枠の外周面の内、前記一部分を除いた残余部分に取り付けられるコード部材の一方の端部分が、前記縁枠片の端部分に設けられた止め孔に止着されるようになされると共に、該コード部材の他方の端部分が、前記ブリッジを上下方向で貫通する挿通孔に挿通され且つ前記連結片に設けられた止め孔に止着されるようになされていることを特徴とする複合型眼鏡枠セット。
【請求項１１】
柔軟な樹脂素材からなるレンズ枠体と、該レンズ枠体に取り付けられるレンズと、該レンズ枠体に取り付けられる金属製の縁枠部材と、該レンズ枠体に取り付けられるコード部材とを具え、
前記レンズ枠体は、レンズが嵌着される左右一対の環状のレンズ枠相互がブリッジで連結されてなり、
前記縁枠部材は、前記レンズ枠の夫々の外周面の一部分に取り付けられる左右の縁枠片の内端相互が、前記ブリッジの下面に取り付けられる連結片で連結されてなり、
又、前記レンズ枠にレンズが嵌め入れられた状態で、夫々のレンズ枠に関して、該レンズ枠の外周面の内、前記一部分を除いた残余部分に取り付けられたコード部材の一方の端部分が、前記縁枠片の端部分に設けられた止め孔に止着されるようになされると共に、該コード部材の他方の端部分が、前記ブリッジを上下方向で貫通する挿通孔に挿通され且つ前記連結片に設けられた止め孔に止着されるようになされていることを特徴とする複合型眼鏡枠セット。
【請求項１２】
柔軟な樹脂素材からなるレンズ枠体と、該レンズ枠体に取り付けられるレンズと、該レンズ枠体に取り付けられる金属製の縁枠部材と、該レンズに取り付けられるコード部材とを具え、
前記レンズ枠体は、左右のレンズのレンズ周面の一部分に取り付けられる左右一対のレンズ枠相互がブリッジで連結されてなり、
前記縁枠部材は、前記レンズ枠の夫々の外周面の全体又は一部分に取り付けられる左右の縁枠片の内端相互が、前記ブリッジの上面に取り付けられる連結片で連結されてなり、
又、前記レンズ枠にレンズが取り付けられた状態で、夫々のレンズに関し、該レンズのレンズ周面の内、前記一部分を除いた残余部分に取り付けられたコード部材の一方の端部分が、前記縁枠片の端部分に設けられた止め孔に止着されるようになされると共に、該コード部材の他方の端部分が、前記ブリッジを上下方向で貫通する挿通孔に挿通され且つ前記連結片に設けられた止め孔に止着されるようになされていることを特徴とする複合型眼鏡枠セット。
【請求項１３】
柔軟な樹脂素材からなるレンズ枠体と、該レンズ枠体に取り付けられるレンズと、該レンズ枠体に取り付けられる金属製の縁枠部材と、該レンズに取り付けられるコード部材とを具え、
前記レンズ枠体は、左右のレンズのレンズ周面の一部分に取り付けられた左右一対のレンズ枠相互がブリッジで連結されてなり、
前記縁枠部材は、前記レンズ枠の夫々の外周面の全体又は一部分に取り付けられる左右の縁枠片の内端相互が、前記ブリッジの下面に取り付けられる連結片で連結されてなり、
又、前記レンズ枠にレンズが取り付けられた状態で、夫々のレンズに関し、該レンズの外周面の内、前記一部分を除いた残余部分に取り付けられたコード部材の一方の端部分が、前記縁枠片の端部分に設けられた止め孔に止着されるようになされると共に、該コード部材の他方の端部分が、前記ブリッジを上下方向で貫通する挿通孔に挿通され且つ前記連結片に設けられた止め孔に止着されるようになされていることを特徴とする複合型眼鏡枠セット。
【請求項１４】
前記縁枠部材はベータチタン製であることを特徴とする請求項１０〜１３の何れかに記載の複合型眼鏡枠セット。
【考案の詳細な説明】
【技術分野】
【０００１】
本考案は、樹脂と金属とを複合させた複合型眼鏡に関するものであり、又、該複合型眼鏡を構成するための複合型眼鏡枠セットに関するものである。
【背景技術】
【０００２】
レンズを保持する左右一対のレンズ枠相互をブリッジで連結してなる眼鏡枠を具える眼鏡としては、例えば特許文献１が開示するような、眼鏡枠の全体を樹脂製とした樹脂製眼鏡枠を具えるものや、例えば特許文献２が開示するような、全体を金属製とした金属製眼鏡枠を具えるものが一般的であるが、樹脂製のレンズ枠に金属製の装飾片をビスで固定してなる複合型眼鏡枠を具える眼鏡も提供されている。
【０００３】
前記樹脂製眼鏡枠は、樹脂の色合いや模様、風合を生かして装飾性に富む眼鏡を構成できる利点がある反面、眼鏡枠が単一素材からなるために飽きがきやすい問題があった他、眼鏡枠を丈夫に構成するためには各部を厚くをせざるを得ず眼鏡が重くなる問題があった。又、眼鏡枠を細身に形成してこれにレンズを装着せんとする場合は、装着したレンズが外れやすい他、細身の眼鏡枠は強度的に不安定で折損しやすかった。かかることから、細身の樹脂製眼鏡枠を形成し難く、デザイン上の制約を伴う問題もあった。
【０００４】
又、前記金属製眼鏡枠を具える眼鏡にあっては、細身で強度のある眼鏡枠を軽量に構成できる利点がある反面、着色による表面装飾はメッキや塗装、電着塗装によらざるを得ず、これらの装飾手段では、樹脂の風合は表現し難く、装飾性に限界があった。
【０００５】
又、樹脂と金属とを組み合わせてなる前記複合型眼鏡枠を具える眼鏡によるときは、樹脂による装飾性と金属による装飾性の双方を発揮させて装飾効果を上げ得る利点がある反面、金属製の装飾片を樹脂枠にビスで安定的に固定できるように樹脂部分と金属部分を共に厚く形成せざるを得ず、眼鏡を細身に形成し難くかった他、眼鏡が重くなる問題もあった。又、ビスが緩んで装飾片の取り付け部にガタツキが発生したり装飾片が脱落する恐れがある等、装飾片の取り付け状態が不安定しやすかった。
【０００６】
【特許文献１】特開２００７−１５６３０２（図４、図５）
【特許文献２】実開平４−１９０３１７号（第１図）
【考案の開示】
【考案が解決しようとする課題】
【０００７】
本考案は、前記従来眼鏡の問題点に鑑みて開発されたものであり、樹脂と金属とを複合させることを基本として、細身の樹脂製レンズ枠体を具える眼鏡であっても、強度に優れ、しかも、樹脂と金属との複合による装飾性向上も期し得る複合型眼鏡の提供を課題とするものである。又、かかる複合型眼鏡を簡易に構成し得る複合型眼鏡枠セットの提供を課題とするものである。
【課題を解決するための手段】
【０００８】
前記課題を解決するため本考案は以下の手段を採用する。
即ち、本考案に係る複合型眼鏡は、柔軟な樹脂素材からなるレンズ枠体と、該レンズ枠体に取り付けられるレンズと、該レンズ枠体に取り付けられる金属製の縁枠部材と、該レンズ枠体に取り付けられるコード部材とを具え、前記レンズ枠体は、レンズが嵌着される左右一対の環状のレンズ枠相互がブリッジで連結されてなり、前記縁枠部材は、前記レンズ枠の夫々の外周面の一部分に取り付けられる左右の縁枠片の内端相互が、前記ブリッジの上面に取り付けられる連結片で連結されてなる。又、前記レンズ枠にレンズが嵌め入れられた状態で、夫々のレンズ枠に関して、該レンズ枠の外周面の内、前記一部分を除いた残余部分に取り付けられたコード部材の一方の端部分が、前記縁枠片の端部分に設けられた止め孔に止着されると共に、該コード部材の他方の端部分が、前記ブリッジを上下方向で貫通する挿通孔に挿通され且つ前記連結片に設けられた止め孔に止着されていることを特徴とするものである。
【０００９】
本考案に係る複合型眼鏡の他の態様は、柔軟な樹脂素材からなるレンズ枠体と、該レンズ枠体に取り付けられるレンズと、該レンズ枠体に取り付けられる金属製の縁枠部材と、該レンズ枠体に取り付けられるコード部材とを具え、前記レンズ枠体は、レンズが嵌着される左右一対の環状のレンズ枠相互がブリッジで連結されてなり、前記縁枠部材は、前記レンズ枠の夫々の外周面の一部分に取り付けられる左右の縁枠片の内端相互が、前記ブリッジの下面に取り付けられる連結片で連結されてなる。又、前記レンズ枠にレンズが嵌め入れられた状態で、夫々のレンズ枠に関して、該レンズ枠の外周面の内、前記一部分を除いた残余部分に取り付けられたコード部材の一方の端部分が、前記縁枠片の端部分に設けられた止め孔に止着されると共に、該コード部材の他方の端部分が、前記ブリッジを上下方向で貫通する挿通孔に挿通され且つ前記連結片に設けられた止め孔に止着されていることを特徴とするものである。
【００１０】
本考案に係る複合型眼鏡のその他の態様は、柔軟な樹脂素材からなるレンズ枠体と、該レンズ枠体に取り付けられるレンズと、該レンズ枠体に取り付けられる金属製の縁枠部材と、該レンズ枠体に取り付けられるコード部材とを具え、前記レンズ枠体は、内周面にレンズ溝を有する左右一対の環状のレンズ枠相互がブリッジで連結されてなり、該レンズ枠の夫々の外周面にその周方向に嵌合溝が設けられると共に、前記ブリッジの上面には、両レンズ枠の前記嵌合溝の上側部分に連なるように上面嵌合溝が設けられており、前記縁枠部材は、前記レンズ枠の夫々の前記嵌合溝の上側部分に嵌め入れられる左右の縁枠片の内端相互が、前記上面嵌合溝に嵌め入れられる連結片で連結されてなる。又、前記レンズ枠にレンズが嵌め入れられた状態で、夫々のレンズ枠に関して、前記嵌合溝の下側部分に嵌め入れられたコード部材の一方の端部分が前記縁枠片の端部分に設けられた止め孔に止着されると共に、該コード部材の他方の端部分が、前記ブリッジを上下方向で貫通する挿通孔に挿通され且つ前記連結片に設けられた止め孔に止着されていることを特徴とするものである。
【００１１】
本考案に係る複合型眼鏡のその他の態様は、柔軟な樹脂素材からなるレンズ枠体と、該レンズ枠体に取り付けられるレンズと、該レンズ枠体に取り付けられる金属製の縁枠部材と、該レンズ枠体に取り付けられるコード部材とを具え、前記レンズ枠体は、内周面にレンズ溝を有する左右一対の環状のレンズ枠相互がブリッジにより連結されてなり、該レンズ枠の夫々の外周面にその周方向に嵌合溝が設けられると共に、前記ブリッジの下面には下面嵌合溝が設けられており、前記縁枠部材は、前記レンズ枠の夫々の前記嵌合溝の下側部分に嵌め入れられる左右の縁枠片の内端相互が、前記下面嵌合溝に嵌め入れられる連結片で連結されてなる。又、前記レンズ枠にレンズが嵌め入れられた状態で、夫々のレンズ枠に関して、前記嵌合溝の上側部分に嵌め入れられたコード部材の一方の端部分が前記縁枠片の端部分に設けられた止め孔に止着されると共に、該コード部材の他方の端部分が、前記ブリッジを上下方向で貫通する挿通孔に挿通され且つ前記連結片に設けられた止め孔に止着されていることを特徴とするものである。
【００１２】
本考案に係る複合型眼鏡のその他の態様は、柔軟な樹脂素材からなるレンズ枠体と、該レンズ枠体に取り付けられるレンズと、該レンズ枠体に取り付けられる金属製の縁枠部材と、該レンズに取り付けられるコード部材とを具え、前記レンズ枠体は、左右のレンズのレンズ周面の一部分に取り付けられる左右一対のレンズ枠相互がブリッジで連結されてなり、前記縁枠部材は、前記レンズ枠の夫々の外周面の全体又は一部分に取り付けられる左右の縁枠片の内端相互が、前記ブリッジの上面に取り付けられる連結片で連結されてなる。又、前記レンズ枠にレンズが取り付けられた状態で、夫々のレンズに関し、該レンズのレンズ周面の内、前記一部分を除いた残余部分に取り付けられたコード部材の一方の端部分が、前記縁枠片の端部分に設けられた止め孔に止着されると共に、該コード部材の他方の端部分が、前記ブリッジを上下方向で貫通する挿通孔に挿通され且つ前記連結片に設けられた止め孔に止着されていることを特徴とするものである。
【００１３】
本考案に係る複合型眼鏡のその他の態様は、柔軟な樹脂素材からなるレンズ枠体と、該レンズ枠体に取り付けられるレンズと、該レンズ枠体に取り付けられる金属製の縁枠部材と、該レンズに取り付けられるコード部材とを具え、前記レンズ枠体は、左右のレンズのレンズ周面の一部分に取り付けられる左右一対のレンズ枠相互がブリッジで連結されてなり、前記縁枠部材は、前記レンズ枠の夫々の外周面の全体又は一部分に取り付けられる左右の縁枠片の内端相互が、前記ブリッジの下面に取り付けられる連結片で連結されてなる。又、前記レンズ枠にレンズが取り付けられた状態で、夫々のレンズに関し、該レンズのレンズ周面の内、前記一部分を除いた残余部分に取り付けられたコード部材の一方の端部分が、前記縁枠片の端部分に設けられた止め孔に止着されると共に、該コード部材の他方の端部分が、前記ブリッジを上下方向で貫通する挿通孔に挿通され且つ前記連結片に設けられた止め孔に止着されていることを特徴とするものである。
【００１４】
本考案に係る複合型眼鏡のその他の態様は、柔軟な樹脂素材からなるレンズ枠体と、該レンズ枠体に取り付けられるレンズと、該レンズ枠体に取り付けられる金属製の縁枠部材と、該レンズ枠体に取り付けられるコード部材とを具え、前記レンズ枠体は、左右のレンズのレンズ周面の一部分に取り付けられる左右一対のレンズ枠相互がブリッジで連結されてなり、該レンズ枠の夫々の外周面にその長さ方向に嵌合溝が設けられると共に、前記ブリッジの上面には上面嵌合溝が設けられており、前記縁枠部材は、前記レンズ枠の前記嵌合溝の全体又は一部分に嵌め入れられる左右の縁枠片の内端相互が、前記上面嵌合溝に嵌め入れられる連結片で連結されてなる。又、前記レンズ枠にレンズが取り付けられた状態で、夫々のレンズに関し、該レンズのレンズ周面の内、前記一部分を除いた残余部分に取り付けられたコード部材の一方の端部分が、前記縁枠片の端部分に設けられた止め孔に止着されると共に、該コード部材の他方の端部分が、前記ブリッジを上下方向で貫通する挿通孔に挿通され且つ前記連結片に設けられた止め孔に止着されていることを特徴とするものである。
【００１５】
本考案に係る複合型眼鏡のその他の態様は、柔軟な樹脂素材からなるレンズ枠体と、該レンズ枠体に取り付けられるレンズと、該レンズ枠体に取り付けられる金属製の縁枠部材と、該レンズ枠体に取り付けられるコード部材とを具え、前記レンズ枠体は、左右のレンズのレンズ周面の一部分に取り付けられる左右一対のレンズ枠相互がブリッジで連結されてなり、該レンズ枠の夫々の外周面にその長さ方向に嵌合溝が設けられると共に、前記ブリッジの下面には下面嵌合溝が設けられており、前記縁枠部材は、前記レンズ枠の前記嵌合溝の全体又は一部分に嵌め入れられる左右の縁枠片の内端相互が、前記下面嵌合溝に嵌め入れられる連結片で連結されてなる。又、前記レンズ枠にレンズが取り付けられた状態で、夫々のレンズに関し、該レンズのレンズ周面の内、前記一部分を除いた残余部分に取り付けられたコード部材の一方の端部分が、前記縁枠片の端部分に設けられた止め孔に止着されると共に、該コード部材の他方の端部分が、前記ブリッジを上下方向で貫通する挿通孔に挿通され且つ前記連結片に設けられた止め孔に止着されていることを特徴とするものである。
【００１６】
前記の各複合型眼鏡において、前記縁枠部材はベータチタン製とするのが好ましい。
【００１７】
本考案に係る複合型眼鏡枠セットは、柔軟な樹脂素材からなるレンズ枠体と、該レンズ枠体に取り付けられるレンズと、該レンズ枠体に取り付けられる金属製の縁枠部材と、該レンズ枠体に取り付けられるコード部材とを具え、前記レンズ枠体は、レンズが嵌着される左右一対の環状のレンズ枠相互がブリッジで連結されてなり、前記縁枠部材は、前記レンズ枠の夫々の外周面の一部分に取り付けられる左右の縁枠片の内端相互が、前記ブリッジの上面に取り付けられる連結片で連結されてなる。又、前記レンズ枠にレンズが嵌め入れられた状態で、夫々のレンズ枠に関して、該レンズ枠の外周面の内、前記一部分を除いた残余部分に取り付けられるコード部材の一方の端部分が、前記縁枠片の端部分に設けられた止め孔に止着されるようになされると共に、該コード部材の他方の端部分が、前記ブリッジを上下方向で貫通する挿通孔に挿通され且つ前記連結片に設けられた止め孔に止着されるようになされていることを特徴とするものである。
【００１８】
本考案に係る複合型眼鏡枠セットの他の態様は、柔軟な樹脂素材からなるレンズ枠体と、該レンズ枠体に取り付けられるレンズと、該レンズ枠体に取り付けられる金属製の縁枠部材と、該レンズ枠体に取り付けられるコード部材とを具え、前記レンズ枠体は、レンズが嵌着される左右一対の環状のレンズ枠相互がブリッジで連結されてなり、前記縁枠部材は、前記レンズ枠の夫々の外周面の一部分に取り付けられる左右の縁枠片の内端相互が、前記ブリッジの下面に取り付けられる連結片で連結されてなり、又、前記レンズ枠にレンズが嵌め入れられた状態で、夫々のレンズ枠に関して、該レンズ枠の外周面の内、前記一部分を除いた残余部分に取り付けられたコード部材の一方の端部分が、前記縁枠片の端部分に設けられた止め孔に止着されるようになされると共に、該コード部材の他方の端部分が、前記ブリッジを上下方向で貫通する挿通孔に挿通され且つ前記連結片に設けられた止め孔に止着されるようになされていることを特徴とするものである。
【００１９】
本考案に係る複合型眼鏡枠セットのその他の態様は、柔軟な樹脂素材からなるレンズ枠体と、該レンズ枠体に取り付けられるレンズと、該レンズ枠体に取り付けられる金属製の縁枠部材と、該レンズに取り付けられるコード部材とを具え、前記レンズ枠体は、左右のレンズのレンズ周面の一部分に取り付けられる左右一対のレンズ枠相互がブリッジで連結されてなり、前記縁枠部材は、前記レンズ枠の夫々の外周面の全体又は一部分に取り付けられる左右の縁枠片の内端相互が、前記ブリッジの上面に取り付けられる連結片で連結されてなる。又、前記レンズ枠にレンズが取り付けられた状態で、夫々のレンズに関し、該レンズのレンズ周面の内、前記一部分を除いた残余部分に取り付けられたコード部材の一方の端部分が、前記縁枠片の端部分に設けられた止め孔に止着されるようになされると共に、該コード部材の他方の端部分が、前記ブリッジを上下方向で貫通する挿通孔に挿通され且つ前記連結片に設けられた止め孔に止着されるようになされていることを特徴とするものである。
【００２０】
本考案に係る複合型眼鏡枠セットのその他の態様は、柔軟な樹脂素材からなるレンズ枠体と、該レンズ枠体に取り付けられるレンズと、該レンズ枠体に取り付けられる金属製の縁枠部材と、該レンズに取り付けられるコード部材とを具え、前記レンズ枠体は、左右のレンズのレンズ周面の一部分に取り付けられた左右一対のレンズ枠相互がブリッジで連結されてなり、前記縁枠部材は、前記レンズ枠の夫々の外周面の全体又は一部分に取り付けられる左右の縁枠片の内端相互が、前記ブリッジの下面に取り付けられる連結片で連結されてなる。又、前記レンズ枠にレンズが取り付けられた状態で、夫々のレンズに関し、該レンズの外周面の内、前記一部分を除いた残余部分に取り付けられたコード部材の一方の端部分が、前記縁枠片の端部分に設けられた止め孔に止着されるようになされると共に、該コード部材の他方の端部分が、前記ブリッジを上下方向で貫通する挿通孔に挿通され且つ前記連結片に設けられた止め孔に止着されるようになされていることを特徴とするものである。
【００２１】
前記の各複合型眼鏡枠セットにおいて、前記縁枠部材はベータチタン製とするのが好ましい。
【考案の効果】
【００２２】
(1) 本考案に係る複合型眼鏡は、柔軟な樹脂素材からなり且つ左右一対のレンズ枠相互がブリッジにより連結されてなるレンズ枠体と、該レンズ枠体の左右のレンズ枠に取り付けられるレンズと、該レンズ枠体の左右のレンズ枠の夫々の外周面に取り付けられる左右の縁枠片を具えた金属製の縁枠部材と、該レンズ枠の外周面又は該レンズのレンズ周面に取り付けられるコード部材とを具える。かかることから本考案によるときは、細身の樹脂製レンズ枠体を具えながら強度に優れ、しかも、樹脂と金属との複合による装飾性向上も期し得る複合型眼鏡を構造簡素に提供できることとなる。
【００２３】
これをより具体的に説明すれば、樹脂の色合いや風合いを生かしつつ樹脂と金属との複合による装飾性向上が図られた複合型眼鏡を提供できることになる。そして、レンズ枠の外周面又はレンズ周面に取り付けられたコード部材を締め付けることにより、レンズが取り付けられたレンズ枠体を金属製の縁枠片で効果的に補強できる。しかも、金属製の縁枠部材を従来のようにビス固定することを要さずにレンズ枠体に簡易且つ確実に固定できるのであり、構造簡素な複合型眼鏡を提供できることになる。
【００２４】
このようなことから本考案によるときは、強度の弱い細身のレンズ枠体を用いる場合であっても、金属製の縁枠部材でレンズ枠体を効果的に補強でき、従って、細身に形成されて軽量であるも強度に優れる複合型眼鏡を、構造簡素に提供できることになる。
【００２５】
(2) レンズが嵌着される左右一対の環状のレンズ枠相互をブリッジで連結し該環状のレンズ枠にレンズを嵌着する構成の複合型眼鏡にあっては、レンズの外周面の一部分に取り付けられるレンズ枠を具えるレンズ枠体を用いて複合型眼鏡を構成する場合とは異なり、レンズの厚さに制約されずに、より太いコード部材を用いることが可能となり、従って、レンズが嵌着されたレンズ枠体の強度を一層向上させることができる。
【００２６】
(3) レンズの外周面の一部分にレンズ枠を取り付けてなる複合型眼鏡における場合も、コード部材の端部分を該レンズ枠に止着するのではなく、該端部分を、該レンズ枠の外周面に取り付けられた金属製の縁枠片に止着するため、強度に優れた複合型眼鏡（レンズをコード部材で直接固定する方式の縁無し眼鏡）を構成できることになる。
【００２７】
(4) 本考案に係る複合型眼鏡枠セットによるときは、前記複合型眼鏡を簡易に構成できる利点がある。
【実施例１】
【００２８】
図１〜２において本考案に係る複合型眼鏡１は、柔軟な樹脂素材からなるレンズ枠体２と、該レンズ枠体２に取り付けられる一対のレンズ３，３と、該レンズ枠体２に取り付けられる金属製の縁枠部材５と、該レンズ枠体２に取り付けられる一対のコード部材６，６とを具えるものである。
【００２９】
該レンズ枠体２は、図３〜４に示すように、左右のレンズ３，３が嵌着される左右一対の環状のレンズ枠７，７相互がブリッジ９で連結されてなる。該レンズ枠７，７の内周面８には夫々、前記レンズ３の外周縁部１０を嵌め入れるためのレンズ溝１１が周方向に連続して設けられている。又、該両レンズ枠７，７の夫々の外周面１２に、前記ブリッジ９で途切れる嵌合溝１３，１３が、該外周面１２に、その周方向に連続して設けられている。そして前記ブリッジ９の上面１４には、該レンズ枠７，７の嵌合溝１３の上側部分１６，１６の内端１７，１７に連なるように上面嵌合溝１９が設けられている。
【００３０】
そして、前記ブリッジ９の左右の端部分１５，１５には、図５（Ａ）（Ｂ）に示すように、該端部分１５，１５を上下方向に貫通する挿通孔２０，２０が設けられている。該挿通孔２０の上端２１は、前記上面嵌合溝１９の溝底２２の前後方向中央部位で開放されており、前記嵌合溝１３，１３の上下の内端は、対応の挿通孔２０によって連通されている。本実施例においては、前記嵌合溝１３の下側部分５５を構成する内側部分７５の傾斜延長線上に前記挿通孔２０が連なるように、前記挿通孔２０を、前記端部分１５を斜めの上下方向で貫通するように設けている。
【００３１】
本実施例においては図５（Ａ）（Ｂ）に示すように、前記レンズ枠７，７の夫々に関して、前記上面嵌合溝１９の溝底２２の前記上端２１の近傍には、前記コード部材６の他方の端部分５７の端部５７ａを後述のように（図１６（Ａ））納めるための凹部１８が設けられている。そして、前記上面嵌合溝１９の内側（顔面側）の溝壁部２４が欠切されて矩形状の欠切部２８が設けられている。又、図６（Ａ）に示すように、前記嵌合溝１３の上側部分１６を構成する外側の屈曲部２５の上下部においては、前記嵌合溝１３の溝底２２に、前記コード部材６の一方の端部分５６を後述のように（図１２（Ｂ）（Ｃ））納めるための凹部２８が設けられている。そして、前記嵌合溝１３の内側（顔面側）の溝壁部２６が欠切されて矩形状の欠切部２７，２７が設けられている。
【００３２】
かかる構成を有するレンズ枠体２は細身に形成される。例えば図３（Ｂ）に示すように、前記レンズ枠７の縁部２９の平面幅Ｌ１が例えば２．８〜３．２ｍｍ程度に設定されると共に、レンズ枠７の縁部２９の正面幅Ｌ２が例えば１．７〜２．０ｍｍ程度に設定される。そして該レンズ枠体２は、例えば、アセテートやセルロイド、ナイロン、エンジニアリングプラスチック等からなる柔軟で弾力性を有する樹脂素材を用いて、レーザー加工による切削や、射出成形等の加工によって形成することができる。
【００３３】
金属製の前記縁枠部材５は、本実施例においては、丈夫で弾力性のある金属素材からなるもの、例えばベータチタン製のものであり、例えば０．６〜０．８ｍｍ程度の薄肉に形成されており、図１〜２、図５（Ｂ）（Ｃ）に示すように、前記左右のレンズ枠７，７の前記嵌合溝１３，１３の上側部分１６，１６に嵌め入れられる左右の縁枠片３０，３０の内端相互が、前記上面嵌合溝１９に嵌め入れられる連結片３１で連結されている。本実施例においては、該縁枠部材５の厚さを、前記嵌合溝１３の溝深さ、前記上面嵌合溝１９の溝深さに等しく設定している。該縁枠部材５の表面は、金メッキや電着塗装などを施すことによって適宜装飾するのがよい。
【００３４】
そして図６（Ｂ）（Ｃ）に示すように、該左右の縁枠片３０，３０の外枠部分３２，３２は、前記嵌合溝１３，１３の前記外側の屈曲部２５，２５に嵌め入れられる。なお本実施例においては、図２に示すように、強度の必要な前記連結片３１や前記外枠部分３２，３２は、平面幅を比較的大きく設定しているが、左右の縁枠片３０，３０の中間部分３３，３３の平面幅は、比較的小さく設定している。本実施例において該中間部分３３，３３の平面幅を比較的小さく設定しているのは、縁枠片３０の中間部分３３の弾性変形性を良好にして、後述のようにコード部材６を締め付けたときに、該中間部分３３がレンズ枠７の前記嵌合溝１３の上側部分１６に馴染みやすくするためであり、又、眼鏡のデザイン性を考慮してのものである。
【００３５】
そして本実施例においては図２、図７に示すように、前記連結片３１の左右端側においてパッド連結アーム３５，３５が一連に突設されている。該パッド連結アーム３５，３５は、水平突出部３６，３６の先端で、下方突出部３７，３７が、前記レンズ枠７，７の内側縁部３９，３９に沿うように斜め下方に延設されている。又、前記左右の縁枠片３０，３０の外枠部分３２，３２にはテンプル連結片４０，４０が一連に突設されている。該テンプル連結片４０，４０は、本実施例においては図８に示すように、後方に向けて外方に突出する上下の傾斜水平突出片４１，４１の前端４２，４２が前記外枠部分３２に連設されている。そして、該上下の傾斜水平突出片４１，４１の前端部分４３，４３は、図６（Ｂ）に示すように、前記上下の欠切部２７，２７に嵌まり込んだ状態となされている。
【００３６】
又、前記左右の縁枠片３０，３０の前記外枠部分３２，３２の下端部４５，４５には、図８に示すように、その上下に小間隔をおいて上下の止め孔４６，４６が設けられると共に、前記連結片３１の左右端側に位置させて、図７に示すように、左右に小間隔をおいて左右の止め孔４６，４６、４６，４６が夫々設けられている。
【００３７】
かかる構成を有する縁枠部材５は、本実施例においては例えば図９に示すように、薄肉金属板４７を打ち抜いて形成された縁枠基材４８を適宜屈曲して形成されている。該縁枠基材４８は、前記連結片３１を構成する連結片形成板部４９の左右に、前記左右の縁枠片３０，３０を形成する左右の縁枠片形成板部５０，５０が連設されている。又、該連結片形成板部４９の左右端に位置させて、前記パッド連結アーム３５，３５を形成するパッド連結アーム形成板部５１，５１が連設されている。そして、前記左右の縁枠片形成板部５０，５０の両端部分５２，５２に、前記テンプル連結片形成板部５３，５３が連設されている。なお前記止め孔４６，４６、４６，４６は、前記打ち抜き工程で同時に形成できる。
【００３８】
又、前記コード部材６，６は、本実施例においては０．５ｍｍ〜０．８ｍｍの径を有するナイロン糸を用いて形成されている。
【００３９】
然して、かかる構成を有するレンズ枠体２と左右のレンズ３，３と縁枠部材５と左右のコード部材６，６とを用いて複合型眼鏡１を構成するに際しては、図１０に示すように、前記レンズ枠体２の左右のレンズ枠７，７にレンズ３，３を嵌め入れる。このレンズ３の嵌め入れは、該レンズ枠体２が前記のように、柔軟な樹脂素材を用いて細身に形成されていて左右のレンズ枠７，７が弾性変形容易であるため、該レンズ枠７に対するレンズ３の嵌め入れを容易に行うことができる。この状態で、前記レンズ枠体２の前記嵌合溝１３の上側部分１６に前記左右の縁枠片３０，３０を嵌め入れると共に前記上面嵌合溝１９に前記連結片３１を嵌め入れる。
【００４０】
そして左右のレンズ枠７，７に関し、図１１〜１２に示すように、前記嵌合溝１３の下側部分５５に嵌め入れられた前記コード部材（例えばナイロン糸）６の一方の端部分（外側の端部分）５６を、例えば、前記縁枠片３０の前記外枠部分３２，３２の下端部３４，３４に設けられた前記止め孔４６，４６に止着させるのであるが、その際、図１２（Ｂ）（Ｃ）に示すように、該端部分５６を、下の止め孔４６ａに内側から外側に向けて挿通させて後、上の止め孔４６ｂに挿入して行う。この止着状態で、該一方の端部分５６の先端部５６ａが前記凹部２８に納められる。その結果、該外枠部分３２を前記下側部分５５に嵌め入れた状態で該一方の端部分５６の止着が行われることになる。
【００４１】
又、前記コード部材６の他方の端部分（内側の端部分）５７を、図１１、図１２（Ａ）に示すように、前記挿通孔２０を下から上に向けて挿通させて後、前記止め孔４６，４６に止着させるのであるが、その際、図１２（Ａ）に示すように、該端部分５７を、前記左側の止め孔４６ｃに下から上に向けて挿通させて後、該コード部材６に張力を付与した状態で、右側の止め孔４６ｄに挿入して行う。この止着状態で、該他方の端部分５７の先端部５７ａが前記凹部１８に納められる。その結果、該連結片３１を前記上面嵌合溝１９に嵌め入れた状態で該他方の端部分５７の止着が行われることになる。
【００４２】
このようにしてコード部材６の一方の端部分５６と他方の端部分５７を前記縁枠部材５の止め孔４６ａ，４６ｂ、４６ｃ，４６ｄに止着することにより、前記嵌合溝１３の上側部分１６に嵌め入れられた状態にある、丈夫で柔軟な弾力変形性を有する前記縁枠片３０が、柔軟性を有する前記レンズ枠７の上側枠部分６０に密着状態になると共に、前記嵌合溝１３の下側部分５５に嵌め入れられた状態にある、弾力性を有し且つ丈夫な前記コード部材６が前記下側部分５５の溝底に密着状態となる。このように密着状態とされた該縁枠片３０と該コード部材６とによって、レンズ３が嵌着されてなるレンズ枠７がその外周面１２の周方向で、レンズ３を周方向に取り囲むように強固に締め付けられた状態となる。これによって、レンズ３が装着されたレンズ枠７は強度的に不安定なものであっても、該レンズ枠７に金属製の縁枠部材５が取り付けられることによって、レンズ３とレンズ枠７と縁枠片３０とコード部材６の全体が安定的に一体化し、レンズとレンズ枠とが強度的に安定状態で一体化した複合型眼鏡１が構成されることになるのである。
【００４３】
前記のように、挿通孔２０が、図１２（Ａ）に示すように、前記嵌合溝１３の下側部分５５の傾斜部の上端５５ａに傾斜した直線状に連なるように設けられているため、前記コード部材６の他方の端部分５７を無理なく止着でき、これによって、該一体化の安定性向上が図られるのである。
【００４４】
そして本考案においては、コード部材６の両端部分５６，５７を前記縁枠片３０の内外の端部分に止着する構成を採用するため、縁枠部材５をレンズ枠７に固定するのに特別な固定手段を要することなく、該コード部材６を締め付けるだけで、縁枠片３０がレンズ枠７の外周面１２から外れる恐れなく縁枠部材５とレンズ枠７とを強固に一体化できるのである。
【００４５】
図１においては、前記テンプル連結片４０の後端５４に、蝶番片５８を介してテンプル６４が開閉可能に連結されている。該テンプル連結片４０の形態は各種に構成できると共に、該テンプル６４は、樹脂製でも金属製でもよく、その形態を問わない。
【実施例２】
【００４６】
図１３は、本考案に係る複合型眼鏡１の他の実施例を示すものであり、前記実施例における場合とは逆に、縁枠部材５をレンズ枠体２の下側に配置している。
【００４７】
より具体的に説明すれば、該複合型眼鏡１が、柔軟な樹脂素材からなるレンズ枠体２と、該レンズ枠体２に取り付けられる左右のレンズ３，３と、該レンズ枠体２に取り付けられる金属製の縁枠部材５と、該レンズ枠体２に取り付けられる左右のコード部材６，６とを具える点は前記実施例における場合と同様である。
【００４８】
前記レンズ枠体２は、図１３〜１４、図１６（Ａ）に示すように、内周面８にレンズ溝１１が周方向に連続して設けられている左右一対の環状のレンズ枠７，７相互がブリッジ９により連結されてなり、該両レンズ枠７，７の夫々の外周面１２に、前記ブリッジ９で途切れる嵌合溝１３，１３が、該外周面１２に、その周方向に連続して設けられている。この点は前記と同様であるが、該ブリッジ９の下面６１に下面嵌合溝６２が設けられている点が前記と異なる。
【００４９】
そして前記縁枠部材５は、図１３〜１６に示すように、前記左右のレンズ枠７，７の前記嵌合溝１３，１３の下側部分５５，５５に嵌め入れられる左右の縁枠片３０，３０の内端相互が、前記下面嵌合溝６２に嵌め入れられる連結片３１で連結されている。該左右の縁枠片３０，３０の前記外枠部分３２，３２の上端部６３，６３には、図１６（Ｂ）（Ｃ）に示すように、その上下に小間隔をおいて上下の止め孔４６，４６が設けられると共に、図１６（Ａ）に示すように、前記連結片３１の左右端側に位置させて、左右に小間隔をおいて左右の止め孔４６，４６、４６，４６が夫々設けられている。
【００５０】
かかる構成を有する縁枠部材５は、前記実施例における場合と同様にして、薄肉金属板を打ち抜いて形成された縁枠基材４８を適宜屈曲して形成することができる。
【００５１】
又、前記左右のレンズ枠７，７にレンズ３，３が嵌め入れられた状態で、夫々のレンズ枠７，７に関し、図１６（Ｂ）（Ｃ）に示すように、前記嵌合溝１３の上側部分１６に嵌め入れられたコード部材６（例えばナイロン糸）の一方の端部分（外側の端部分）５６が前記外枠部分３２，３２の上端部６３，６３に設けられた前記止め孔４６，４６に止着されると共に、該コード部材６の他方の端部分（内側の端部分）５７が、前記ブリッジ９を斜めの上下方向で貫通する挿通孔２０に、上から下に向けて挿通され且つ前記連結片３１の左右端側に設けられた前記止め孔４６，４６に止着されている。
【００５２】
このように止着されることにより、該縁枠片３０と該コード部材６とによって、レンズ３が嵌着されてなるレンズ枠７が、その外周面１２の周方向で強固に締め付けられた状態となる。これによって、図１３に示すように、レンズ３とレンズ枠７と縁枠片３０とコード部材６の全体が安定的に一体化した複合型眼鏡１が構成されることになる。
【実施例３】
【００５３】
図１７〜１８、図１９〜２０、図２１〜２２、図２３〜２４は、左右一対の環状のレンズ枠７，７相互がブリッジ９で連結されてなるレンズ枠体２を用いて構成された複合型眼鏡１のその他の実施例を示すものである。
【００５４】
図１７〜１８に示す複合型眼鏡１を構成するレンズ枠体２は、内周面８にレンズ溝１１が周設されてなり、左右一対の環状のレンズ枠７，７相互がブリッジ９により連結されている。そして、該レンズ枠７，７の夫々の外周面１２，１２に、前記ブリッジ９で途切れる嵌合溝１３，１３が、該外周面１２に、その周方向に連続して設けられると共に、前記ブリッジ９の上面１４に上面嵌合溝１９が設けられている。又、該複合型眼鏡１を構成する縁枠部材５の左右の縁枠片３０，３０は比較的短く形成されており、前記左右のレンズ枠７，７の前記嵌合溝１３，１３の上側部分１６の一部分６５に嵌め入れられた左右の縁枠片３０，３０の内端相互が、前記上面嵌合溝１９に嵌め入れられる連結片３１で連結されている。
【００５５】
そして、前記左右のレンズ枠７，７にレンズ３，３が嵌め入れられた状態で、夫々のレンズ枠７，７に関して、前記嵌合溝１３の前記一部分６５を除いた残余部分６６に取り付けられたコード部材６の一方の端部分５６が、図１８（Ｂ）（Ｃ）に示すように、前記縁枠片３０の端部分（外端部分）６７に設けられた止め孔４６，４６に止着されると共に、該コード部材６の他方の端部分５７が、図１８（Ａ）に示すように、前記ブリッジ９を斜めの上下方向で貫通する挿通孔２０に下から上に向けて挿通され、且つ前記連結片３１に設けられた止め孔４６，４６に止着されることによって、図１７に示すような、レンズ３とレンズ枠７と縁枠片３０とコード部材６の全体が安定的に一体化した複合型眼鏡１が構成されることになる。
【００５６】
図１９〜２０に示す複合型眼鏡１を構成するレンズ枠体２は、内周面８にレンズ溝１１が周設されてなり、左右一対の環状のレンズ枠７，７相互がブリッジ９により連結されている。そして、該レンズ枠７，７の夫々の外周面１２，１２に、前記ブリッジ９で途切れる嵌合溝１３，１３が、該外周面１２に、その周方向に連続して設けられると共に、前記ブリッジ９の下面６１に下面嵌合溝６２が設けられている。又、該複合型眼鏡１を構成する縁枠部材５の左右の縁枠片３０，３０は、前記左右のレンズ枠７，７の前記嵌合溝１３，１３の下側部分５５，５５の一部分６９，６９に嵌め入れられる左右の縁枠片３０，３０の内端相互が、前記下面嵌合溝６２に嵌め入れられる連結片３１で連結されてなる。
【００５７】
そして、前記左右のレンズ枠７，７にレンズ３，３が嵌め入れられた状態で、夫々のレンズ枠７，７に関して、前記嵌合溝１３の前記一部分６９を除いた残余部分７０に取り付けられたコード部材６の一方の端部分５６が、図２０（Ｂ）（Ｃ）に示すように、前記縁枠片３０の端部分（外端部分）６７に設けられた止め孔４６，４６に止着されると共に、該コード部材６の他方の端部分５７が、図２０（Ａ）に示すように、前記ブリッジ９を斜めの上下方向で貫通する挿通孔２０に上から下に向けて挿通され、且つ前記連結片３１に設けられた止め孔４６，４６に止着されることによって、図１９に示すように、レンズ３とレンズ枠７と縁枠片３０とコード部材６の全体が安定的に一体化した複合型眼鏡１が構成されることになる。
【００５８】
図２１〜２２は、上面嵌合溝１９が設けられてなる前記レンズ枠体２を用いて構成された複合型眼鏡１の他の実施例を示すものである。該複合型眼鏡１を構成する縁枠部材５は、左右のレンズ枠７，７の前記嵌合溝１３の内、その上側部分１６と、外側部分７１と、該外側部分７１に連なる下側部分５５の一部分７３に嵌め入れられる左右の縁枠片３０，３０の内端相互が、前記上面嵌合溝１９に嵌め入れられた連結片３１で連結されてなる。そして、該左右の縁枠片３０，３０の夫々の端部分６７，６７には、図２２（Ｂ）（Ｃ）に示すように、その長さ方向に小間隔をおいて止め孔４６，４６が設けられると共に、前記連結片３１の左右端側に位置させて、図２２（Ａ）に示すように、左右に小間隔をおいて左右の止め孔４６，４６、４６，４６が夫々設けられている。
【００５９】
そして、前記左右のレンズ枠７，７にレンズ３，３が嵌め入れられた状態で、夫々のレンズ枠７，７に関して、前記嵌合溝１３の残余部分（下側部分５５の内側部と内側部分７５）７０に嵌め入れられたコード部材（例えばナイロン糸）６の一方の端部分（外側の端部分）５６が、図２２（Ｂ）（Ｃ）に示すように、前記縁枠片３０の端部分７６に設けられた止め孔４６，４６に止着されると共に、該コード部材６の他方の端部分（内側の端部分）５７が、図２２（Ａ）に示すように、前記ブリッジ９を斜めの上下方向で貫通する挿通孔２０に下から上に向けて挿通され、且つ、前記連結片３１に設けられた止め孔４６，４６に止着されることによって、図２１に示すように、レンズ３とレンズ枠７と縁枠片３０とコード部材６の全体が安定的に一体化した複合型眼鏡１が構成されることになる。
【００６０】
図２３〜２４は、下面嵌合溝６２が設けられてなるレンズ枠体２を用いて構成された複合型眼鏡１のその他の実施例を示すものである。該複合型眼鏡１を構成する縁枠部材５は、前記左右のレンズ枠７，７の前記嵌合溝１３の内、その下側部分５５，５５と内側部分７５と外側部分７１と、該外側部分７１に連なる上側部分１６の外側部７７に嵌め入れられる左右の縁枠片３０，３０の内端相互が、前記下面嵌合溝６２に嵌め入れられた連結片３１で連結されてなり、図２４（Ｂ）（Ｃ）に示すように、該縁枠片３０の端部分６７に２個の止め孔４６，４６が縁枠片３０の長さ方向に小間隔をおいて設けられると共に、前記連結片３１の左右端側に位置させて、図２４（Ａ）に示すように、左右に小間隔をおいて左右の止め孔４６，４６、４６，４６が小間隔をおいて設けられている。
【００６１】
そして、前記左右のレンズ枠７，７にレンズ３，３が嵌め入れられた状態で、夫々のレンズ枠７，７に関して、前記嵌合溝の残余部分（上側部分１６の一部分）７０に嵌め入れられたコード部材（例えばナイロン糸）６の一方の端部分（外側の端部分）５６が、図２４（Ｂ）（Ｃ）に示すように、前記縁枠片３０の端部分６７に設けられた止め孔４６，４６に止着されると共に、該コード部材６の他方の端部分（内側の端部分）５７が、図２４（Ａ）に示すように、前記ブリッジ９を上下方向で貫通する挿通孔２０に上から下に向けて挿通され、且つ、前記連結片３１に設けられた前記止め孔４６，４６に止着されることによって、図２３に示すような、レンズ３とレンズ枠７と縁枠片３０とコード部材６の全体が安定的に一体化した複合型眼鏡１が構成されることになる。
【実施例４】
【００６２】
図２５は、本考案に係る複合型眼鏡１のその他の実施例を示すものであり、柔軟な樹脂素材からなるレンズ枠体２と、該レンズ枠体２に取り付けられるレンズ３，３と、該レンズ枠体２に取り付けられる金属製の縁枠部材５と、該レンズ３に取り付けられるコード部材６とを具える構成については前記実施例におけると同様である。
【００６３】
該レンズ枠体２は、図２５〜２７に示すように、左右のレンズ３，３のレンズ周面７９の上の周面部分８０に取り付けられる左右一対のレンズ枠７，７相互がブリッジ９で連結されている。本実施例においては左右のレンズ３，３に、そのレンズ周面７９の周方向に連続して係合溝８１が設けられており、該両レンズ枠７，７の内周面８には、該係合溝８１に嵌め入れられる係合突条８２が設けられている。又、該両レンズ枠７，７の夫々の外周面１２，１２にその長さ方向に嵌合溝１３が設けられると共に、前記ブリッジ９の上面１４には上面嵌合溝１９が設けられている。
【００６４】
前記縁枠部材５は、図２５〜２７に示すように、前記左右のレンズ枠７，７の前記嵌合溝１３，１３の全体に嵌め入れられる左右の縁枠片３０，３０の内端相互が、前記上面嵌合溝１９に嵌め入れられる連結片３１で連結されている。そして、左右の縁枠片３０，３０の端部分８３，８３には、該縁枠片３０の長さ方向に小間隔をおいて止め孔４６，４６が設けられると共に、前記連結片３１の左右端側に位置させて、左右に小間隔をおいて左右の止め孔４６，４６、４６，４６が設けられている。
【００６５】
そして図２８に示すように、前記係合突条８２が、前記レンズ３，３の係合溝８１の上縁部分７８，７８に嵌め入れられることによって該レンズ３が該レンズ枠７に取り付けられた状態で、図２５〜２６に示すように、夫々のレンズ３に関し、該レンズ３のレンズ周面７９に設けられている前記係合溝８１の下縁部分８５に嵌め入れられたコード部材（例えばナイロン糸）６の一方の端部分５６が、図２９（Ｂ）（Ｃ）に示すように、前記縁枠片３０の端部分（外端部分）６７に設けられた止め孔４６，４６に止着されると共に、該コード部材６の他方の端部分５７が、図２９（Ａ）に示すように、前記ブリッジ９を斜めの上下方向で貫通する挿通孔２０に、下から上に向けて挿通され、且つ、前記連結片３１に設けられた止め孔４６，４６に止着されることによって、図２５〜２６に示すような、レンズ３とレンズ枠７と縁枠片３０とコード部材６の全体が安定的に一体化した複合型眼鏡１が構成されることになる。
【００６６】
図２５においては、前記テンプル連結片４０の後端５４に、蝶番片５８を介してテンプル６４が開閉可能に連結されている。該テンプル連結片４０の形態は各種に構成できると共に、該テンプル６４は、樹脂製でも金属製でもよく、その形態を問わない。
【実施例５】
【００６７】
図３０〜３１は、本考案に係る複合型眼鏡１のその他の実施例を示すものであり、前記実施例４における場合とは逆に、縁枠部材５をレンズ枠体２の下側に配置している。
【００６８】
より具体的に説明すれば、該複合型眼鏡１が、柔軟な樹脂素材からなるレンズ枠体２と、該レンズ枠体２に取り付けられる左右のレンズ３，３と、該レンズ枠体２に取り付けられる金属製の縁枠部材５と、該レンズ枠体２に取り付けられる左右のコード部材６，６とを具える点は前記実施例における場合と同様である。
【００６９】
該レンズ枠体２は、図３０〜３１に示すように、左右のレンズ３，３のレンズ周面７９の内側の周面部分７４と、その下の周面部分８８と、該下の周面部分８８の端部に連なる、レンズ周面７９の外側の周面部分８６の下側部に亘る如く取り付けられた左右一対のレンズ枠７，７相互がブリッジ９で連結されている。該左右のレンズ３，３のレンズ周面７９，７９には、前記と同様にしてその長さ方向に係合溝８１が設けられており、該レンズ枠７，７の内周面８には、図３２に示すように、該係合溝８１に嵌め入れられる係合突条８２が設けられている。そして図３３に示すように、該両レンズ枠７，７の夫々の外周面１２，１２にその長さ方向に嵌合溝１３，１３が設けられると共に、前記ブリッジ９の下面６１には下面嵌合溝６２が設けられている。
【００７０】
又、前記縁枠部材５は、図３０〜３３に示すように、前記左右のレンズ枠７，７の前記嵌合溝１３の全体に嵌め入れられる左右の縁枠片３０，３０の内端相互が、前記下面嵌合溝６２に嵌め入れられる連結片３１で連結されてなる。
【００７１】
そして図３０〜３１に示すように、前記係合溝８１に前記係合突条８２を嵌め入れることにより左右のレンズ枠７，７にレンズ３，３が取り付けられた状態で、夫々のレンズ３，３に関し、該レンズ３のレンズ周面７９に設けられた前記係合溝８１の上縁部分７８と、前記係合溝８１の外縁部分９２の上側部に取り付けられたコード部材（例えばナイロン糸）６の一方の端部分（外端部分）５６が、図３１（Ｂ）（Ｃ）に示すように、前記縁枠片３０の端部分（外端部分）６７に設けられた止め孔４６，４６に止着されると共に、該コード部材６の他方の端部分（内端部分）５７が、図３１（Ａ）に示すように、前記ブリッジ９を斜めの上下方向で貫通する挿通孔２０に上から下に向けて挿通され、且つ、前記連結片３１に設けられた止め孔４６，４６に止着されることによって、図３０に示すように、レンズ３とレンズ枠７と縁枠片３０とコード部材６の全体が安定的に一体化した複合型眼鏡１が構成されることになる。
【実施例６】
【００７２】
図３４〜３５、図３６〜３７、図３８〜３９、図４０〜４１、図４２〜４３、図４４〜４５、図４６〜４７、図４８〜４９は、レンズをコード部材でレンズ枠７に止着して構成された複合型眼鏡１のその他の実施例を示すものである。
【００７３】
図３４〜３５は、上面嵌合溝１９が設けられた前記レンズ枠体２を用いて構成された複合型眼鏡１のその他の実施例を示すものであり、図２５に示す複合型眼鏡１よりも縁枠片３０の長さが短く形成されている。そして、前記レンズ３の係合溝８１の内、内縁部分９１の下側部と、下縁部分８５と、外縁部分９２の下側部と、前記レンズ枠７の嵌合溝１３の外側部分７１に嵌め入れられたコード部材６の一方の端部分５６が、図３５（Ｂ）（Ｃ）に示すように、前記縁枠片３０の端部分６７に設けられた止め孔４６，４６に止着されると共に、該コード部材６の他方の端部分５７が、図３５（Ａ）に示すように、前記ブリッジ９を斜めの上下方向で貫通する挿通孔２０に、下から上に向けて挿通され且つ前記連結片３１に設けられた止め孔４６，４６に止着されることによって、図３４に示すように、レンズ３とレンズ枠７と縁枠片３０とコード部材６の全体が安定的に一体化した複合型眼鏡１が構成されることになる。
【００７４】
図３６〜３７は、下面嵌合溝６２が設けられた前記レンズ枠体２を用いて構成された複合型眼鏡１のその他の実施例を示すものであり、図３０〜３１に示す複合型眼鏡１よりも、縁枠部材５を構成する縁枠片３０の長さが短く形成されている。即ち、該縁枠片３０は、前記嵌合溝１３の内、内側部分７５と、その下端に連なる下側部分５５の内側部に連なる縁枠片３０，３０相互が連結片３１で連結されてなる。
【００７５】
そして、左右のレンズ３，３の係合溝１３の内、上縁部分７８と、外縁部分９２の上側部と、前記レンズ枠７の嵌合溝１３の外側部に嵌め入れられたコード部材６の一方の端部分５６が、図３７（Ｂ）（Ｃ）に示すように、前記縁枠片３０の端部分（外端部分）６７に設けられた止め孔４６，４６に止着されると共に、該コード部材６の他方の端部分５７が、図３７（Ａ）に示すように、前記ブリッジ９を斜めの上下方向で貫通する挿通孔２０に上から下に向けて挿通され且つ前記連結片３１に設けられた止め孔４６，４６に止着されることによって、図３６に示すように、レンズ３とレンズ枠７と縁枠片３０とコード部材６の全体が安定的に一体化した複合型眼鏡１が構成されることになる。
【００７６】
図３８〜３９は、左右のレンズ３，３のレンズ周面７９に設けられた係合溝８１の内縁部分９１と、上縁部分７８の内側部と、下縁部分８５の内側部分に取り付けられるＵ字状を呈する左右のレンズ枠７，７相互がブリッジ９で連結されてなり、該両レンズ枠７，７の夫々の外周面１２に、該ブリッジ９で途切れた状態でその長さ方向に嵌合溝１３が設けられると共に、該ブリッジ９の上面１４に上面嵌合溝１９が設けられてなるレンズ枠体２を用いてなる複合型眼鏡１を示すものである。
【００７７】
本実施例においては、該レンズ枠体２に取り付けられる縁枠部材５は、前記レンズ枠７，７の前記嵌合溝１３の上側部分１６，１６の全体に嵌め入れられる左右の縁枠片３０，３０の内端相互が、前記上面嵌合溝１９に嵌め入れられる連結片３１で連結されている。そして、左右の縁枠片３０，３０の端部分６７，６７には、図３９（Ｂ）（Ｃ）に示すように、該縁枠片３０の長さ方向に小間隔をおいて止め孔４６，４６が設けられると共に、前記連結片３１の左右端側に位置させて、図３９（Ａ）に示すように、左右に小間隔をおいて左右の止め孔４６，４６、４６，４６が設けられている。
【００７８】
そして、前記レンズ３に設けられている前記係合溝８１の上縁部分７８の外側部と、外縁部分９２と、下縁部分８５の外側部と、前記レンズ枠７の嵌合溝１３の下側部分５５と内側部分７５にコード部材６が嵌め入れられた状態で、該コード部材６の一方の端部分５６が、図３９（Ｂ）（Ｃ）に示すように、前記縁枠片３０の端部分（外端部分）に設けられた止め孔４６，４６に止着されると共に、該コード部材６の他方の端部分５７が、図３９（Ａ）に示すように、前記ブリッジ９を斜めの上下方向で貫通する挿通孔２０に下から上に向けて挿通され且つ前記連結片３１に設けられた止め孔４６，４６に止着されることによって、図３８に示すように、レンズ３とレンズ枠７と縁枠片３０とコード部材６の全体が安定的に一体化した複合型眼鏡１が構成されることになる。
【００７９】
図４０〜４１は、Ｕ字状を呈するレンズ枠７，７相互がブリッジ９で連結されると共に、該レンズ枠７，７の外周面１２に、該ブリッジ９で途切れた状態でその長さ方向に嵌合溝１３が設けられると共に、該ブリッジ９の下面６１に下面嵌合溝６２が設けられてなるレンズ枠体２を用いて構成された複合型眼鏡１を示すものである。
【００８０】
本実施例においては、該レンズ枠体２に取り付けられる縁枠部材５は、前記レンズ枠７，７の前記嵌合溝１３の下側部分７２の全体に嵌め入れられる左右の縁枠片３０，３０の内端相互が、前記下面嵌合溝６２に嵌め入れられる連結片３１で連結されている。そして、前記左右のレンズ３，３の前記係合溝８１の内、下縁部分８５の外側部と、それに連なる外縁部分９２と、それに連なる上縁部分７８の外側部と、前記嵌合溝１３の上側部分１６に嵌め入れられたコード部材６の一方の端部分５６が、図４１（Ｂ）（Ｃ）に示すように、前記縁枠片３０の端部分（下端部分）６７に設けられた止め孔４６，４６に止着されると共に、該コード部材６の他方の端部分５７が、図４１（Ａ）に示すように、前記ブリッジ９を斜めの上下方向で貫通する挿通孔２０に上から下に向けて挿通され且つ前記連結片３１に設けられた止め孔４６，４６に止着されることによって、図４０に示すように、レンズ３とレンズ枠７と縁枠片３０とコード部材６の全体が安定的に一体化した複合型眼鏡１が構成されることになる。
【００８１】
図４２〜４３は、左右のレンズ３，３の前記係合溝８１，８１の内、上縁部分７８と、それに連なる外縁部分９２と、それに連なる下縁部分８５の外側部に前記係合突条８２を嵌め入れることによって左右のレンズ３，３のレンズ周面の一部分に取り付けられた左右一対のレンズ枠７，７相互がブリッジ９で連結されてなるレンズ枠体２を用いて構成された複合型眼鏡１を示すものである。そして、該レンズ枠７，７の外周面１２に、その長さ方向に嵌合溝１３が設けられると共に、該ブリッジ９の上面１４に上面嵌合溝１９が設けられている。
【００８２】
本実施例においては、該レンズ枠体２に取り付けられる縁枠部材５は、前記レンズ枠７，７の前記嵌合溝１３の全体に嵌め入れられる左右の縁枠片３０，３０の内端相互が、前記上面嵌合溝１９に嵌め入れられる連結片３１で連結されている。そして図４３（Ｂ）（Ｃ）に示すように、左右の縁枠片３０，３０の端部分６７，６７には、該縁枠片３０の長さ方向に小間隔をおいて止め孔４６，４６が設けられると共に、前記連結片３１の左右端側に位置させて、図４３（Ａ）に示すように、左右に小間隔をおいて左右の止め孔４６，４６、４６，４６が設けられている。
【００８３】
そして、前記レンズ３に設けられている前記係合溝８１の内、内縁部分９１と、下縁部分８５に嵌め入れられたコード部材６の一方の端部分５６が、図４３（Ｂ）（Ｃ）に示すように、前記縁枠片３０の端部分（外端部分）６７に設けられた止め孔４６，４６に止着されると共に、該コード部材６の他方の端部分５７が、図４３（Ａ）に示すように、前記ブリッジ９を斜めの上下方向で貫通する挿通孔２０に下から上に向けて挿通され且つ前記連結片３１に設けられた止め孔４６，４６に止着されることによって、図４２に示すように、レンズ３とレンズ枠７と縁枠片３０とコード部材６の全体が安定的に一体化した複合型眼鏡１が構成されることになる。
【００８４】
図４４〜４５は、基本的には図４２〜４３に示す複合型眼鏡１の構成と同様であるが縁枠部材５の構成が異なる。該縁枠部材５は、前記レンズ枠７，７の前記嵌合溝１３の上側部分１６と外側部分７１の上側部に嵌められる左右の縁枠片３０，３０の内端相互が、前記上面嵌合溝１９に嵌め入れられる連結片３１で連結されている。そして、左右の縁枠片３０，３０の端部分６７，６７には、図４５（Ｂ）（Ｃ）に示すように、該縁枠片３０の長さ方向に小間隔をおいて止め孔４６，４６が設けられると共に、前記連結片３１の左右端側に位置させて、図４５（Ａ）に示すように、左右に小間隔をおいて左右の止め孔４６，４６、４６，４６が設けられている。
【００８５】
そして、前記レンズ３に設けられている前記係合溝８１の内、内縁部分９１と、下縁部分８５の内側部と、前記縁枠片３０に設けられた嵌合溝１３の下側部分５５と外側部分７１の下側部に嵌め入れられたコード部材６の一方の端部分５６が、図４５（Ｂ）（Ｃ）に示すように、前記縁枠片３０の端部分（外端部分）６７に設けられた止め孔４６，４６に止着されると共に、該コード部材６の他方の端部分５７が、図４５（Ａ）に示すように、前記ブリッジ９を斜めの上下方向で貫通する挿通孔２０に下から上に向けて挿通され且つ前記連結片３１に設けられた止め孔４６，４６に止着されることによって、図４４に示すように、レンズ３とレンズ枠７と縁枠片３０とコード部材６の全体が安定的に一体化した複合型眼鏡１が構成されることになる。
【００８６】
図４６〜４７は下面嵌合溝６２を具えるレンズ枠体２を用いて構成された複合型眼鏡１の他の実施例を示すものであり、レンズ枠体２は、左右のレンズ３，３のレンズ周面７９，７９に設けられている係合溝８１，８１の内、内縁部分９１とそれに連なる下縁部分８５とそれに連なる外縁部分９２とそれに連なる上縁部分７８の外側部に嵌め入れられる左右のレンズ枠７，７の内端相互が、ブリッジ９により連結されてなる。
【００８７】
そして、該両レンズ枠７，７の夫々の外周面１２，１２にその長さ方向に嵌合溝１３，１３が設けられると共に、前記ブリッジ９の下面６１には下面嵌合溝６２が設けられている。
【００８８】
前記縁枠部材５は、左右の縁枠片３０，３０の内端相互が、前記下面嵌合溝６２に嵌め入れられる連結片３１で連結されている。そして、左右の縁枠片３０，３０の端部分６７，６７には、図４７（Ｂ）（Ｃ）に示すように、該縁枠片３０の長さ方向に小間隔をおいて止め孔４６，４６が設けられると共に、前記連結片３１の左右端側に位置させて、図４７（Ａ）に示すように、左右に小間隔をおいて左右の止め孔４６，４６、４６，４６が設けられている。
【００８９】
そして、前記レンズ３に設けられている前記係合溝８１の内、前記上縁部分８０の内側部に嵌め入れられたコード部材６の一方の端部分５６が、図４７（Ｂ）（Ｃ）に示すように、前記縁枠片３０の端部分（外端部分）６７に設けられた止め孔４６，４６に止着されると共に、該コード部材６の他方の端部分５７が、図４７（Ａ）に示すように、前記ブリッジ９を斜めの上下方向で貫通する挿通孔２０に上から下に向けて挿通され且つ前記連結片３１に設けられた止め孔４６，４６に止着されることによって、図４６に示すように、レンズ３とレンズ枠７と縁枠片３０とコード部材６の全体が安定的に一体化した複合型眼鏡１が構成されることになる。
【００９０】
図４８〜４９は、基本的には図４６〜４７に示す複合型眼鏡１の構成と同様であるが縁枠部材５の構成が異なる。該縁枠部材５は、前記レンズ枠７，７の前記嵌合溝１３の内側部分７５と下側部分５５と外側部分７１の下側部に嵌め入れられる左右の縁枠片３０，３０の内端相互が、前記下面嵌合溝６２に嵌め入れられる連結片３１で連結されている。そして、左右の縁枠片３０，３０の端部分６７，６７には、図４９（Ｂ）（Ｃ）に示すように、該縁枠片３０の長さ方向に小間隔をおいて止め孔４６，４６が設けられると共に、前記連結片３１の左右端側に位置させて、図４９（Ａ）に示すように、左右に小間隔をおいて左右の止め孔４６，４６、４６，４６が設けられている。
【００９１】
そして、前記レンズ３に設けられている前記係合溝８１の上縁部分７８に嵌め入れられたコード部材６の一方の端部分５６が、図４９（Ｂ）（Ｃ）に示すように、前記縁枠片３０の端部分（外端部分）６７に設けられた止め孔４６，４６に止着されると共に、該コード部材６の他方の端部分５７が、図４９（Ａ）に示すように、前記ブリッジ９を斜めの上下方向で貫通する挿通孔２０に、上から下に向けて挿通され且つ前記連結片３１に設けられた止め孔４６，４６に止着されることによって、図４８に示すように、レンズ３とレンズ枠７と縁枠片３０とコード部材６の全体が安定的に一体化した複合型眼鏡１が構成されることになる。
【実施例７】
【００９２】
本考案は、前記実施例で示したものに限定されるものでは決してなく、「実用新案登録請求の範囲」の記載内で種々の設計変更が可能であることはいうまでもない。その一例を挙げれば次のようである。
【００９３】
(1) 本考案において、金属製の前記縁枠部材５を構成する左右の縁枠片３０，３０を左右のレンズ枠７，７の夫々の外周面１２，１２に取り付けるに際し、該縁枠片３０を該外周面１２に設けた嵌合溝１３に嵌め入れる場合は、前記コード部材６を介して該縁枠片３０をレンズ枠７の外周面１２に取り付けることができる限り、該縁枠片３０の全体が嵌合溝１３に嵌め入れられた状態とされないこともある。例えば、図１２（Ａ）に示されている凹部１８や図１２（Ｂ）（Ｃ）に示されている凹部２８が設けられない場合は、前記コード部材６の太さに相当する分だけ、縁枠片３０が嵌合溝１３から突出することになる。
該縁枠片３０をレンズ枠７の外周面１２に取り付ける構成としては、例えば図５０に示すように、レンズ枠７の外周面１２に設けられた突条部１００を該縁枠片３０の内周面に設けた溝部１０１に嵌め入れることによって行うこともある。
【００９４】
(2) 前記コード部材６は、弾力性を有し且つ丈夫な細い線状材であれば、前記ナイロン糸の他、細い金属ワイヤ等のコード部材を用いることもできる。
【００９５】
(3) 前記コード部材６の一方の端部分５６の、縁枠片３０に設けた止め孔４６に対する止着と、他方の端部分５７の、連結片３１に設けた止め孔４６に対する止着は、何れを先に行なってもよい。図５１は、止め孔４６が１個の場合を示すものであり、コード部材６の一方の端部分５６や他方の端部分５７の端部に設けられた係止突部１０３が該止め孔４６の縁部１０５に係合した止着状態となされている。
【００９６】
(4) 前記縁枠部材５は、金属製のものであり、前記したベータチタンの他、その他のチタン合金やステンレス等の丈夫で弾力性のある金属素材を用いて構成することもできる。
【００９７】
(5) レンズ枠体２に縁枠部材５を取り付けて後、該縁枠部材５に連結部材をロウ付けしたり、前記レンズ枠体２の縁部分や前記レンズ３の縁部分に、挾持により連結部材を取り付けたり、レンズ枠体２やレンズ３に設けた取り付け孔に連結部材を取り付ける等によって連結部材を取り付けて後、該連結部材にテンプルやパッド連結アームを取り付けることにより、眼鏡を完成させることができる。
【００９８】
(6) 図５２は、前記縁枠部材５を比較的厚肉に形成した場合を示すものであり、前記縁枠片３０の外枠部分３２が、テンプル連結片４０を介して、途切れた状態（図５１に途切れ部１０２を示す）に形成されることもある。
【００９９】
(7) 前記ブリッジ９を上下方向で貫通する如く設けられる挿通孔２０は、斜め方向に設けられることには特定されず、垂直方向に設けられてもよい。
【図面の簡単な説明】
【０１００】
【図１】本考案に係る複合型眼鏡を示す斜視図である。
【図２】その分解斜視図である。
【図３】レンズ枠体とレンズを示す斜視図と、縁枠片の部分平面図と部分正面図である。
【図４】レンズ枠にレンズを嵌着した状態を示す断面図である。
【図５】レンズ枠体のブリッジ部分を示す斜視図と、ブリッジの上面に設けられた上面嵌合溝に連結片を嵌め入れた状態を示す断面図と部分斜視図である。
【図６】レンズ枠に設けられている嵌合溝の外側の屈曲部を示す斜視図と、この屈曲部に縁枠片の外枠部分が嵌め入れられた状態を示す斜視図と、この屈曲部に外枠部分が嵌め入れられた状態を示す断面図である。
【図７】縁枠部材に設けられているパッド連結アームを示す斜視図である。
【図８】縁枠部材に設けられているテンプル連結片を示す斜視図である。
【図９】縁枠部材を構成する縁枠基材の形成方法の一例を示す正面図である。
【図１０】レンズが嵌着されたレンズ枠体に縁枠部材を取り付けた状態を示す正面図である。
【図１１】構成された複合型眼鏡を示す正面図である。
【図１２】コード部材の一方の端部分と他方の端部分の止着状態を示す断面図である。
【図１３】複合型眼鏡のその他の実施例を示す正面図である。
【図１４】それを構成するレンズ枠体のブリッジの下面に設けられた下面嵌合溝とそれに連なる嵌合溝の下側部分の構成を示す斜視図と、該下面嵌合溝と下側部分に嵌め入れられる縁枠部材の連結片部分の構成を示す斜視図である。
【図１５】その下面嵌合溝と下側部分に、縁枠部材の連結片と縁枠片が嵌め入れられた状態を示す斜視図である。
【図１６】その複合型眼鏡における、コード部材の一方の端部分と他方の端部分の止着状態を示す断面図である。
【図１７】複合型眼鏡のその他の実施例を示す正面図である。
【図１８】その複合型眼鏡における、コード部材の一方の端部分と他方の端部分の止着状態を示す断面図である。
【図１９】複合型眼鏡のその他の実施例を示す正面図である。
【図２０】その複合型眼鏡における、コード部材の一方の端部分と他方の端部分の止着状態を示す断面図である。
【図２１】複合型眼鏡のその他の実施例を示す正面図である。
【図２２】その複合型眼鏡における、コード部材の一方の端部分と他方の端部分の止着状態を示す断面図である。
【図２３】複合型眼鏡のその他の実施例を示す正面図である。
【図２４】その複合型眼鏡における、コード部材の一方の端部分と他方の端部分の止着状態を示す断面図である。
【図２５】コード部材がレンズの係合溝に嵌め入れられた状態とされる縁無眼鏡として構成された複合型眼鏡を示す斜視図である。
【図２６】その複合型眼鏡を示す正面図である。
【図２７】その複合型眼鏡を示す分解斜視図である。
【図２８】その複合型眼鏡を示す断面図である。
【図２９】その複合型眼鏡における、コード部材の一方の端部分と他方の端部分の止着状態を示す断面図である。
【図３０】縁無眼鏡として構成された複合型眼鏡の他の実施例を示す正面図である。
【図３１】その複合型眼鏡における、コード部材の一方の端部分と他方の端部分の止着状態を示す断面図である。
【図３２】その複合型眼鏡における、レンズ枠体のブリッジ部分に対して縁枠部材の連結片部分を取り付けた状態を示す部分斜視図である。
【図３３】レンズ枠体のブリッジ部分の構成と、ブリッジ部分に取り付けられる縁枠部材の連結片部分を示す斜視図である。
【図３４】縁無眼鏡として構成された複合型眼鏡のその他の実施例を示す正面図である。
【図３５】その複合型眼鏡における、コード部材の一方の端部分と他方の端部分の止着状態を示す断面図である。
【図３６】縁無眼鏡として構成された複合型眼鏡のその他の実施例を示す正面図である。
【図３７】その複合型眼鏡における、コード部材の一方の端部分と他方の端部分の止着状態を示す断面図である。
【図３８】縁無眼鏡として構成された複合型眼鏡のその他の実施例を示す正面図である。
【図３９】その複合型眼鏡における、コード部材の一方の端部分と他方の端部分の止着状態を示す断面図である。
【図４０】縁無眼鏡として構成された複合型眼鏡のその他の実施例を示す正面図である。
【図４１】その複合型眼鏡における、コード部材の一方の端部分と他方の端部分の止着状態を示す断面図である。
【図４２】縁無眼鏡として構成された複合型眼鏡のその他の実施例を示す正面図である。
【図４３】その複合型眼鏡における、コード部材の一方の端部分と他方の端部分の止着状態を示す断面図である。
【図４４】縁無眼鏡として構成された複合型眼鏡のその他の実施例を示す正面図である。
【図４５】その複合型眼鏡における、コード部材の一方の端部分と他方の端部分の止着状態を示す断面図である。
【図４６】縁無眼鏡として構成された複合型眼鏡のその他の実施例を示す正面図である。
【図４７】その複合型眼鏡における、コード部材の一方の端部分と他方の端部分の止着状態を示す断面図である。
【図４８】縁無眼鏡として構成された複合型眼鏡のその他の実施例を示す正面図である。
【図４９】その複合型眼鏡における、コード部材の一方の端部分と他方の端部分の止着状態を示す断面図である。
【図５０】縁枠片をレンズ枠の外周面に取り付ける他の態様を示す断面図である。
【図５１】コード部材の一方の端部分と他方の端部分の止着状態の他の態様を示す断面図である。
【図５２】縁枠部材の外枠部分の他の態様を示す斜視図である。
【符号の説明】
【０１０１】
１  複合型眼鏡
２  レンズ枠体
３  レンズ
５  縁枠部材
６  コード部材
７  レンズ枠
９  ブリッジ
１１  レンズ溝
１２  レンズ枠の外周面
１３  嵌合溝
１４  ブリッジの上面
１９  上面嵌合溝
２０  挿通孔
３０  縁枠片
３１  連結片
３２  縁枠片の外枠部分
３５  パッド連結アーム
４０  テンプル連結片
４６  止め孔
５６  コード部材の一方の端部分
５７  コード部材の他方の端部分
６１  ブリッジの下面
６２  下面嵌合溝
７０  残余部分
７９  レンズ周面
８１  係合溝
【図１】
0003148577.tif 000003
【図２】
0003148577.tif 000004
【図３】
0003148577.tif 000005
【図４】
0003148577.tif 000006
【図５】
0003148577.tif 000007
【図６】
0003148577.tif 000008
【図７】
0003148577.tif 000009
【図８】
0003148577.tif 000010
【図９】
0003148577.tif 000011
【図１０】
0003148577.tif 000012
【図１１】
0003148577.tif 000013
【図１２】
0003148577.tif 000014
【図１３】
0003148577.tif 000015
【図１４】
0003148577.tif 000016
【図１５】
0003148577.tif 000017
【図１６】
0003148577.tif 000018
【図１７】
0003148577.tif 000019
【図１８】
0003148577.tif 000020
【図１９】
0003148577.tif 000021
【図２０】
0003148577.tif 000022
【図２１】
0003148577.tif 000023
【図２２】
0003148577.tif 000024
【図２３】
0003148577.tif 000025
【図２４】
0003148577.tif 000026
【図２５】
0003148577.tif 000027
【図２６】
0003148577.tif 000028
【図２７】
0003148577.tif 000029
【図２８】
0003148577.tif 000030
【図２９】
0003148577.tif 000031
【図３０】
0003148577.tif 000032
【図３１】
0003148577.tif 000033
【図３２】
0003148577.tif 000034
【図３３】
0003148577.tif 000035
【図３４】
0003148577.tif 000036
【図３５】
0003148577.tif 000037
【図３６】
0003148577.tif 000038
【図３７】
0003148577.tif 000039
【図３８】
0003148577.tif 000040
【図３９】
0003148577.tif 000041
【図４０】
0003148577.tif 000042
【図４１】
0003148577.tif 000043
【図４２】
0003148577.tif 000044
【図４３】
0003148577.tif 000045
【図４４】
0003148577.tif 000046
【図４５】
0003148577.tif 000047
【図４６】
0003148577.tif 000048
【図４７】
0003148577.tif 000049
【図４８】
0003148577.tif 000050
【図４９】
0003148577.tif 000051
【図５０】
0003148577.tif 000052
【図５１】
0003148577.tif 000053
【図５２】
0003148577.tif 000054